(57)【特許請求の範囲】
【請求項１】
一対の縦桟間に長手方向複数の伸縮リンクを配置して個別伸縮自在の伸縮単位体を形成するとともに各伸縮単位体の隣接する縦桟同士をその室内側又は室外側端部でヒンジ連結して各伸縮単位体を回動自在としたシャッター本体を形成し，該シャッター本体を方向転換用の湾曲部を介して開口面とその交差方向の収納部に至るように配置した上下に対向一対のガイドレールに上吊り装着することによって交差方向伸縮開閉自在とした横引シャッターにおいて，上記上吊り装着を，上記伸縮単位体の一対のうち一方の縦桟の室内外中央位置にそれぞれ設置して上位ガイドレールに載置した上吊ローラーと下位ガイドレールに係合した振れ止めローラーによって行い且つ上記ガイドレールの方向転換用の湾曲部を可及的に小さな曲率半径にして平面１／４円の円弧をなすように構成するとともに上記伸縮単位体の伸張幅を該方向転換用の湾曲部の端部間を結ぶ弦の長さより狭い幅に設定して，上記シャッター本体の押圧開成時における開口面での伸縮単位体縮小及び該縮小状態のシャッター本体湾曲部通過と，シャッター本体引寄閉成時における湾曲部での伸縮単位体伸張及び該伸張状態の伸縮単位体湾曲部通過を自在としてなることを特徴とする単動伸縮式横引シャッター。
【請求項２】
上記方向転換用の湾曲部における曲率半径を１５±３ｃｍとし，上記伸縮単位体の伸張内法幅を２０ｃｍ程度以下としてなることを特徴とする請求項１に記載の単動伸縮式横引シャッター。
【発明の詳細な説明】
【０００１】
【発明の属する技術分野】
本発明は建物の開口部に設置使用する単動伸縮式横引シャッターに関する。
【０００２】
【先行技術及び発明が解決しようとする課題】
この種単動伸縮式横引シャッターとして，本発明者は，例えば特願平１１−２４３１４９号を提案済であり，これによれば，一対の縦桟間に長手方向複数の伸縮リンクを配置して個別伸縮自在の伸縮単位体を形成するとともに各伸縮単位体の隣接する縦桟同士をその室内側又は室外側端部でヒンジ連結して各伸縮単位体を回動自在としたシャッター本体を形成し，該シャッター本体を方向転換用の湾曲部を介して開口面とその交差方向の収納部に至るように配置した上下に対向一対のガイドレールに上吊り装着することによって交差方向伸縮開閉自在としたものとされ，このとき上記ガイドレールの方向転換用の湾曲部を可及的に小さな曲率半径にして平面１／４円の円弧をなすように構成する一方，上記伸縮単位体の伸張幅を該方向転換用の湾曲部の端部間を結ぶ弦の長さより広い幅に設定することによって，上記シャッター本体を開口面で伸縮するように構成してあり，伸縮単位体を縮小状態で上記湾曲部を通過させて収納部に収納するようにシャッター本体を開成し，同じく伸縮単位体を縮小状態で湾曲部を通過させて開口面で伸張するようにシャッター本体を閉成して，シャッター本体の開閉動作を行なうようにし，特に収納部からの引出しに際して伸縮単位体が伸張して湾曲部のスムーズな通過が阻害されないように，収納状態のシャッター本体を閉成方向に常時押圧して縮小状態のまま湾曲部を通過するための押圧手段，例えばスプリングによる付勢手段を収納部とシャッター本体間に設置したものとされる。
【０００３】
【発明が解決しようとする課題】
この場合，上記シャッター本体を可及的に小さな曲率半径にして平面１／４円の円弧をなす湾曲部を介して開口面と交差する収納部に収納して，開口面を全開するものとし得ること，湾曲部を可及的に小さな曲率半径にして平面１／４円の円弧をなすものとしても，シャッター本体がスムーズに通過し得ること，伸縮単位体が個別に伸縮することによってシャッター本体の開閉が軽量になし得ること等のメリットを得られるが，一方において上記収納部とシャッター本体間に押圧手段を設置することが一般に必要となるため，横引シャッターとしての構造が複雑化する傾向を招き，これを上記スプリングによる付勢手段としたときに，シャッター本体の開閉収納の都度そのスプリングの拡縮がなされるために，その交換等のメンテナンスが必要になる可能性を残している。
【０００４】
本発明はかかる事情に鑑みてなされたもので，その解決課題とするところは，上記横引シャッターの実現するメリットをそのまま維持するとともに上記押圧手段を不要とし，簡易な構造にしてスムーズな開閉を確保することが可能な単動伸縮式横引シャッターを提供するにある。
【０００５】
【課題を解決するための手段】
上記課題に添って本発明は，上記湾曲部とシャッター本体の伸縮単位体における伸張幅（伸縮リンクを拡開したときの伸縮単位体の伸張内法幅をいう）との関係に着目し，湾曲部の端部間を結ぶ弦の長さに対して伸縮単位体の伸張幅を狭い幅に設定するようにすることによって，シャッター本体をガイドレールに単に上吊り装着することによって，シャッター本体が縮小状態の開成とその伸縮単位体の個別伸張状態の閉成とを行ない，上記押圧手段等を設置することなくスムーズな湾曲部通過と開閉が可能になるとの知見を得てなされたもので，即ち請求項１に記載の発明を，一対の縦桟間に長手方向複数の伸縮リンクを配置して個別伸縮自在の伸縮単位体を形成するとともに各伸縮単位体の隣接する縦桟同士をその室内側又は室外側端部でヒンジ連結して各伸縮単位体を回動自在としたシャッター本体を形成し，該シャッター本体を方向転換用の湾曲部を介して開口面とその交差方向の収納部に至るように配置した上下に対向一対のガイドレールに上吊り装着することによって交差方向伸縮開閉自在とした横引シャッターにおいて，上記上吊り装着を，上記伸縮単位体の一対のうち一方の縦桟の室内外中央位置にそれぞれ設置して上位ガイドレールに載置した上吊ローラーと下位ガイドレールに係合した振れ止めローラーによって行い且つ上記ガイドレールの方向転換用の湾曲部を可及的に小さな曲率半径にして平面１／４円の円弧をなすように構成するとともに上記伸縮単位体の伸張幅を該方向転換用の湾曲部の端部間を結ぶ弦の長さより狭い幅に設定して，上記シャッター本体の押圧開成時における開口面での伸縮単位体縮小及び該縮小状態のシャッター本体湾曲部通過と，シャッター本体引寄閉成時における湾曲部での伸縮単位体伸張及び該伸張状態の伸縮単位体湾曲部通過を自在としてなることを特徴とする単動伸縮式横引シャッターとしたものである。
【０００６】
請求項２に記載の発明は，上記に加えて，上記湾曲部を可及的に小さい曲率半径として横引シャッター設置による開口面側のデッドスペースを少なくするとともに伸縮単位体の伸張幅を人の通過を防止する防犯に適した幅として，曲率半径と伸張幅の双方を両立する好ましいものとするように，これを，上記方向転換用の湾曲部における曲率半径を１５±３ｃｍとし，上記伸縮単位体の伸張幅を２０ｃｍ程度以下としてなることを特徴とする請求項１に記載の単動伸縮式横引シャッターとしたものである。
【０００７】
本発明はこれらをそれぞれ発明の要旨として上記課題解決の手段としたものである。
【０００８】
【作用】
本発明にあっては，シャッター本体の伸縮単位体は，例えば戸先框を押圧すれば個別に縮小し，また戸先框を引寄すれば個別に伸張するから，押圧乃至引寄を手動又は電動で行なうことによって，シャッター本体を開閉するようにすれば，その開成時には，押圧力を加えた，例えば戸先框側から伸縮単位体が順次縮小し，シャッター本体が縮小した状態となって湾曲部を通過し，その縮小状態の開成と収納部への収納がなされる一方，収納部に収納されたシャッター本体の閉成時には，引寄力を加えた，例えば戸先框側における伸縮単位体の先頭部分が湾曲部の上下のガイドレールによって案内されて，湾曲部の両端部を結ぶ弦より幅の狭い伸縮単位体が湾曲部において伸張した状態となるとともに更に引寄力を受けて湾曲部を通過し，各伸縮単位体が順次これを繰り返すことによって，シャッター本体の伸縮単位体の個別伸張状態の閉成がなされるように作用する。
【０００９】
【発明の実施の形態】
以下図面の例に従って本発明を更に具体的に説明すれば，Ａは，本例においてアルミ製とした単動伸縮式の横引きシャッター，１は該シャッターＡのシャッター本体，１０はガイドレールであり，上記シャッター本体１は，一対の縦桟３間に長手方向複数の伸縮リンク４を配置して個別伸縮自在の伸縮単位体２を形成するとともに各伸縮単位体２の隣接する縦桟３同士をその室内側又は室外側端部でヒンジ５連結して各伸縮単位体を回動自在としたものとしてある。
【００１０】
即ち本例にあってシャッター本体１は戸先側に戸先框６を備えて，これに続いて多数の伸縮単位体２を配置したものとしてあり，該伸縮単位体２は，アルミ製，例えばアルミ押出材による一対の縦桟３を用い，該一対の縦桟３を，長手方向複数，例えば長手方向に２乃至４箇所程度介設配置した，該一対の縦桟３の前後中間位置の伸縮リンク４によって伸縮自在に連結することによって構成してあり，このとき伸縮リンク４は，伸縮単位体２をそれ自体単独且つ独立して伸縮自在とするものを用いてこれを個別伸縮自在とするようにしてあり，本例の伸縮リンク４は，例えば直線又はＳ字状等適宜形状のアルミ製，例えばアルミ押出材，アルミ鋳物等のリンクバーをＸ字状に配置し，それぞれ一対双方の縦桟２に対して一端を回動自在に軸支し，他端を長手方向にスライド自在に係合し，必要に応じてそのＸ字状の交差位置で相互に回動自在に軸支するようにして，伸縮単位体２の個別伸縮を行なうとともにその一対の縦桟３を連結するようにしてある。
【００１１】
このとき本例の伸縮リンク４は，これを，伸縮単位体２におけるガイドレール１０近傍の長手方向両端部とその中間の２箇所に配置し，これによってシャッター本体１の伸縮を可及的に安定且つ確実に行なうようにしてある。
【００１２】
本例にあって上記隣接する縦桟３同士のヒンジ５連結は，これを，上記伸縮リンク４の室内側又は室外側，本例にあっては室内側の縦桟３端部において行なってあり，これによって個別且つ独立して伸縮する上記伸縮単位体２を多数伸縮方向に連結した伸縮単位体集合体の単動伸縮自在にして回動自在のものとし，上記ガイドレール１０の案内によってこれを開口交差方向に収納自在とするようにしてある。
【００１３】
即ち本例において上記ヒンジ５連結は，隣接する伸縮単位体２の相互に対接する縦桟３における対接側の室内側コーナー部に上記ヒンジ５を配置することによって行なってあり，このとき本例のヒンジ５は，縦桟３にその長手方向全長に設置した一方を軸５１，他方を軸受５２として，これらを嵌合することによって，例えば１／６円乃至１／４円程度の回動範囲を有するアルミ押出材の軸と軸受によるアルミ全面ヒンジを用い，任意のヒンジ５部分においてそれぞれ略直角の室内側に向けた折曲を行ない得るようにしてある。
【００１４】
本例にあって上記ヒンジ５連結した伸縮単位体２の隣接する一方の縦桟３には，他方の縦桟３側に張出突出して該隣接する縦桟３表面に重合して閉成時に縦桟３間に生じるＶ字溝状の隙間を目隠し被覆する隙間目隠しフィン３３を配設して形成したものとしてあり，本例にあって該隙間目隠しフィン３３は，隣接する伸縮単位体２の相互に隣接する一方の縦桟３，本例においては開口面の戸先側の縦桟３の室外端から他方の縦桟３側に向けて，縦桟３の長手方向全長にして上記ヒンジ５による縦桟３相互の回動を阻害することなく該他方の縦桟３の前面を略全体に亘ってこれに交差重合して被覆するようにした平面円弧状の交差湾曲条によるものとして，これら縦桟３間の上記Ｖ字溝状の隙間を目隠しするようにしてある。
【００１５】
即ち本例の縦桟３は，基板３１の伸縮リンク４側に該伸縮リンク４の端部を回動自在に受入固定する受入溝３２を備える構成を共通にするも，基板３１の室内側及び室外側の形状を異にし，また一方に上記隙間目隠しフィン３３を備え，他方にこれを備えないことによって，伸縮単位体２の一対の縦桟３において異なる形状のアルミ押出材を用いて構成してあり，上記一方の隙間目隠しフィン３３を備えた縦桟３の室内側及び室外側端部を平面円弧状に湾曲した形状とし，該円弧を連続するように上記隙間目隠しフィン３３を突出したものとし，上記他方の隙間目隠しフィンを備えない縦桟３の室内側を同じく平面円弧状に湾曲した形状とするとともに室外側を基板３１と直交するようにフラットな形状として，該室外側において上記隙間目隠しフィン３３の内側に入り込むように重合するようにしてあり，このとき本例の一対の縦桟３は，例えば前後長さを５乃至６ｃｍ程度のものとし，その室内側端部において上記ヒンジ５によって連結してあるため，これを伸張閉成すると，例えば最大８乃至９ｍｍ程度の幅の上記Ｖ字溝条の隙間を生じる傾向があるが，上記隙間目隠しフィン３３がこの隙間を被覆する結果，伸張閉成したシャッター本体１の正面に隙間が露出することなく，これを目隠しするようにしてある。
【００１６】
このように形成したシャッター本体１は，これを方向変換用の湾曲部１２を介して開口面１１とその交差方向の収納部１３に至るように配置した上下に対向一対の上記ガイドレール１０に上吊り装着することによって交差方向伸縮開閉自在としてあり，本例において該シャッター本体１の該ガイドレール１０への上吊り装着は，これを，上記伸縮単位体２の一対のうち一方の縦桟３の室内外中央位置にそれぞれ設置して上位ガイドレール１０に載置した上吊りローラー７と下位ガイドレール１０に係合した振れ止めローラー８によって行ってあり，本例にあって該上吊りローラー７及び振れ止めローラー８は，上記戸先框６と伸縮単位体２の一対のうち一方の縦桟３の室内外中央位置に回転自在に設置することによってそれぞれガイドレール１０による開閉案内を行なうようにしてある。
【００１７】
このとき上記ガイドレールの方向転換用の湾曲部１２は，これを可及的に小さな曲率半径にして平面１／４円の円弧をなすように構成するとともに上記伸縮単位体２の伸張幅を該方向転換用の湾曲部１２の端部間を結ぶ弦の長さより狭い幅に設定してあり，本例にあって上記方向転換用の湾曲部１２における曲率半径は，これを１５±３ｃｍとし，上記伸縮単位体２の伸張幅を２０ｃｍ程度以下としてある。
【００１８】
即ち本例にあって上記平面１／４円の円弧をなす湾曲部１２における曲率半径を１５±３ｃｍとしたのは，これを可及的に小さくすることによって横引シャッターＡ設置による開口面１１側のデッドスペースの発生を少なくしするようにしてあり，１８ｃｍを超えるとデッドスペースの発生が大きくなる傾向を招く一方，１２ｃｍを下回るとガイドレール１０による開閉案内がスムーズでなくなる可能性を招くためであり，また伸張幅を２０ｃｍ程度以下としたのは，これを超えると大人が伸縮リンク４以外の縦桟３間から内部に侵入することが可能になるためであり，好ましくは１７ｃｍ程度以下として，子供も侵入し得ないようにすることが好ましい。
【００１９】
本例において曲率半径は，例えばこれを１５ｃｍとし，上記伸縮単位体２の伸張幅は上記１５ｃｍの曲率半径における上記弦の長さ約２１ｃｍより幅狭の同じく１５ｃｍ程度としてあり，上記曲率半径を１５ｃｍとすることによって，シャッター本体  の上吊りにおいてその上吊りローラー７，振れ止めローラー８が回転しながらガイドレール１０によって極めてスムーズに案内し得るようにし，また伸縮単位体２の伸張幅を１５ｃｍ以下，特に１４ｃｍ程度とすることによって，伸縮単位体２の縦桟３間を，子供を含めて人が侵入する可能性を解消して，シャッター本体１の閉成時における防犯性を，補助桟等を用いることなく縦桟３の間隔設定によって，高度に確保したものとしてある。
【００２０】
図中１４は，本例において伸縮単位体２が上記隙間目隠しフィン３３を備えていることによって，湾曲部１２を通過して伸縮単位体２が開口面１１で直列状態となるに際して，隙間目隠フィン３３が交差重合して，これに人が伸縮単位体２間に手を差し入れると危険を招くことがあるために，該湾曲部１２の露出による危険を防止するように，本例において上下に対向一対のガイドレールにおける湾曲部１２外側にこれを被覆するように設置した湾曲部カバーであり，本例の湾曲部カバー１４は，上下左右の枠組を施し，これに例えばアルミ等の金属，樹脂，木等のパネルを張設したパネル体によるものとし，例えばガイドレール１０の開口面の端部近傍位置から湾曲部１２を覆うように開口面１１端部近傍位置において，例えば２ｃｍ程度の間隔を介して該ガイドレール１０に近接して設置したものとしてある。同じく図中１５及び１６は上記湾曲部カバー１４固定用のアンカー及びブラケットを示す。
【００２１】
以上のように構成することによって本例の横引シャッターＡにあって，シャッター本体１は，その押圧開成時における開口面での伸縮単位体２縮小及び該縮小状態のシャッター本体１湾曲部通過と，シャッター本体１引寄閉成時における湾曲部での伸縮単位体２伸張及び該伸張状態の伸縮単位体２湾曲部通過を自在としてある。即ち，シャッター本体１の伸縮単位体２は，例えば戸先框６を押圧すれば個別に縮小し，また戸先框６を引寄すれば個別に伸張するから，押圧乃至引寄を手動又は電動で行なうことによって，シャッター本体１を開閉するようにすれば，その開成時には，押圧力を加えた，例えば戸先框６側から伸縮単位体２が順次縮小し，シャッター本体１が縮小した状態となって湾曲部１２を通過し，その縮小状態の開成と収納部１３への収納がなされる一方，収納部１３に収納されたシャッター本体１の閉成時には，引寄力を加えた，例えば戸先框６側における伸縮単位体２の先頭部分が湾曲部１２の上下のガイドレール１０によって案内されて，湾曲部１２の端部を結ぶ弦より幅の狭い伸縮単位体２が湾曲部１２において伸張した状態となるとともに更に引寄力を受けて湾曲部１２を通過し，各伸縮単位体２が順次これを繰り返すことによって，シャッター本体１の伸縮単位体２の個別伸張状態の閉成がなされるようになる。
【００２２】
そしてこの場合，上記開口面１１を全開するものとし得ること，シャッター本体１がスムーズに湾曲部１２を通過し得ること，シャッター本体１の開閉が軽量になし得ること等のメリットをそのまま維持するとともに上記押圧手段等の設置を不要とし，簡易な構造にしてスムーズな開閉を確保することが可能なものとすることができる。
【００２３】
図示した例は以上のとおりとしたが，上記伸縮リンクを伸縮単位体の上下両端部に設置し，単一又は複数の伸縮単位体の上記伸縮リンク間中間位置に装飾リンクを配置して該装飾リンクによる文字や図形を表出するようにし，或いは装飾リンクと縦桟に着色したり，縦桟に部材を固定配置することによる桟装飾部とを配置してこれら装飾リンクと桟装飾部とによる文字や図形を表出するようにして，装飾付きのシャッター本体を用いるようにすること等を含めて，本発明の実施に当たって，シャッター本体，伸縮単位体，縦桟，伸縮リンク，ガイドレール，湾曲部，収納部等の各具体的形状，材質，構造，寸法，これらの関係，これらに対する付加等は，上記発明の要旨に反しない限り様々な形態のものとすることができる。
【００２４】
【発明の効果】
本発明は以上のとおりに構成したから，開口面を全開するものとし得ること，シャッター本体の開閉が軽量になし得ること等のメリットを確保するとともにし，シャッター本体を縮小状態の開成とその伸縮単位体の個別伸張状態の閉成を行なうことによって，簡易な構造にしてシャッター本体がスムーズな湾曲部通過と開閉を行なうことが可能な単動伸縮式横引シャッターを提供することができる。
【図面の簡単な説明】
【図１】  単動伸縮式シャッターの正面図である。
【図２】  単動伸縮式シャッターの縦断面図である。
【図３】  単動伸縮式シャッターの横断面図である。
【図４】  湾曲部カバーの固定状態を示す縦断面図である。
【図５】  湾曲カバーの固定状態を示す横断面図である。
【図６】  ヒンジ連結した縦桟が閉じた状態を示す部分拡大横断面図である。
【図７】  ヒンジ連結した縦桟が開いた状態を示す部分拡大横断面図である。
【符号の説明】
Ａ  単動伸縮式シャッター
１  シャッター本体
２  伸縮単位体
３  桟
４  伸縮リンク
５  ヒンジ
６  戸先框
１０  ガイドレール
１２  湾曲部
１３  収納部
【図１】
0004495322.tif 000002
【図２】
0004495322.tif 000003
【図３】
0004495322.tif 000004
【図４】
0004495322.tif 000005
【図５】
0004495322.tif 000006
【図６】
0004495322.tif 000007
【図７】
0004495322.tif 000008